(57)【特許請求の範囲】
【請求項１】
冷蔵庫の扉内側に庫内に突出するように設けられ、上方が開口した収納容器の前面壁に係止される小物収納容器において、
小物チューブ類を収納できる上部が開口した円筒体をひょうたん状に連結した小物収納部と、
前記収納容器の前面壁に係止される取付部と、
を備え、前記円筒体の内径は、小物チューブ類を収納した場合、前記小物チューブ類の、キャップ部が固定できる寸法とし、
少なくとも２つ以上が連結した円筒体の底面には隣接する二つの円筒体底面を連続して開口するスリットを設け、前記小物チューブ類のキャップ部を上にして収納し、
前記小物チューブ類のキャップ部を上にして収納した場合、前記小物チューブ類を前記収納容器の底まで収納できる構成としたことを特徴とする小物収納容器。
【請求項２】
前記収納容器に中型の食品を収納した場合に形成されるデッドスペースに収納されることを特徴とする請求項１記載の小物収納容器。
【請求項３】
前記円筒体をひょうたん状に４つ連結したことを特徴とする請求項１記載の小物収納容器。
【発明の詳細な説明】
【０００１】
【発明の属する技術分野】
この発明は、冷蔵庫等のドアポケットに使用される小物収納容器に関するものである。
【０００２】
【従来の技術】
図７は、例えば実開昭５５−１０５２４号公報に示された従来の小物収納容器の斜視図である。
図において、１は小物収納容器、１ｂは小物収納容器１の前部に形成された取り付け部で、ドアポケット２の前面壁２ａに係止されている。小物収納容器１には、小型のチューブの収納部と大型のチューブの収納部が設けられており、小型のチューブの収納部には、小型のチューブのキャップを差し込める穴を設けた脱着可能な支持部材３がセットされ、大型のチューブの収納部には案内板１ｅが形成され、チューブ類を整理しやすい構造となっている。
【０００３】
また、小物収納容器について開示した他の先行技術文献として特開平１０−１０３８５２号公報がある。
【０００４】
【発明が解決しようとする課題】
従来の小物収納容器は以上のように構成されているため、小物収納容器１をドアポケット２の前面壁２ａに取り付けた場合、設置スペースが必要となるため、チューブ類の収納が少ない時又はチューブ類を収納しない時は占有スペースを要するためボトル、パック、ビン等の収納量を減少させる等の問題があり、対応として取り外して別保管する必要があった。
【０００５】
この発明は、上記のような問題点を解消するためになされたもので、ボトル、パック、ビン等の収納量を減少させることなく、チューブ等の小物食品を収納することができる小物収納容器を提供することを目的とする。
【０００６】
【課題を解決するための手段】
この発明に係る小物収納容器は、冷蔵庫の扉内側に庫内に突出するように設けられ、上方が開口した収納容器の前面壁に係止される小物収納容器において、小物チューブ類を収納できる上部が開口した円筒体をひょうたん状に連結した小物収納部と、収納容器の前面壁に係止される取付部とを備え、円筒体の内径は、小物チューブ類を収納した場合、小物チューブ類の、キャップ部が固定できる寸法とし、、少なくとも２つ以上が連結した円筒体の底面には隣接する二つの円筒体底面を連続して開口するスリットを設け、小物チューブ類のキャップ部を上にして収納し、小物チューブ類のキャップ部を上にして収納した場合、小物チューブ類を収納容器の底まで収納できる構成としたことを特徴とする。
【０００８】
また、収納容器に中型の食品を収納した場合に形成されるデッドスペースに収納されるものである。
【０００９】
また、円筒体をひょうたん状に４つ連結したものである。
【００１３】
【発明の実施の形態】
実施の形態１．
以下、この発明の実施形態１を図面を参照して説明する。
図１〜２は実施形態１を示す図で、図１は小物収納容器の斜視図、図２は小物収納容器を使用した冷蔵庫のドアポケットの斜視図である。
図において、１は小物収納容器であり、上部が開口した円筒体１ａがひょうたん状に４つ連結して小物収納部を構成している。この円筒体１ａの内径は、円筒体１ａへ既存のねりわさび、からし等の小物チューブ類を収納したとき、チューブ類のキャップ部が固定できる寸法に設計されている。このため、チューブ類を安定した状態で収納することができる。
【００１４】
尚、一般的な小売店では、２〜３社のねりわさび、からし等の小物チューブ類を販売しているが、そのキャップ部の直径は約２２mm、チューブの全長は約１４５mm、チューブの端末は約４０mmの平坦状に溶着されており主要寸法はほとんど同じである。
また、小物収納容器１の前部には取り付け部１ｂが形成され、図２に示すように、これにより収納容器であるドアポケット２の前面壁２ａへの小物収納容器１の取り付け、取り外しが可能である。
【００１５】
図２に示すように、ドアポケット２は、通常、大型のペットボトル等も収納できるように設計されているため、牛乳パック、缶ビール等の中型の食品を収納した場合、ドアポケット２内にデッドスペースができるが、このデッドスペースへ小物収納容器１を取り付けることにより、ドアポケット２の収納量を減少させることなく、チューブ等の小物食品を収納することができる。
【００１６】
上述の実施の形態では、４個の円筒体１ａを有する小物収納容器１を示したが、もちろんこれに限られたものではなく、円筒体１ａの数はドアポケットの長さ以内であれば何個でも良い。
【００１７】
実施の形態２．
以下、この発明の実施の形態２を図面を参照して説明する。
図４は実施の形態２を示す図で、図２のＡ−Ａ断面図である。
図において、１ｃは小物収納容器１の底面に２つの円筒体１ａを連続して開口するスリットである。上記実施の形態では、小物収納容器１へチューブ類のキャップ部を下にして収納する形態を示したが、スリット１ｃを設けることで、チューブ類のキャップ部を上にして収納可能である。
【００１８】
また、キャップ部を上にして収納した場合、チューブ類がドアポケット２の底まで収納できるため、小物収納容器１の後側へ収納した牛乳パック等の取り出しを容易に行うことができる。
【００１９】
実施の形態３．
以下、この発明の実施の形態３を図面を参照して説明する。
図３は実施の形態３を示す図で、小物収納容器の使用したドアポケットの断面図である。図において、ドアポケット２は前面壁２ａおよび底面２ｂに食品を取り出しやすいように勾配をつけた収納容器である。
【００２０】
このドアポケット２の前面壁２ａの内側へ小物収納容器１を取り付けたとき、小物収納容器１の後壁１ｄが略垂直になるよう形成することにより、ドアポケット２へ収納した牛乳パック等が略垂直となり、傾けて収納することによる中身の溢れを防止できる。
【００２１】
実施の形態４．
以下、この発明の実施の形態４を図面を参照して説明する。
図５、６は実施の形態４を示す図で、図５は小物収納容器を使用した冷蔵庫扉内側を示す斜視図、図６は冷蔵庫の冷蔵室扉内側を示す部分拡大断面図である。図５において、冷蔵庫背面等から吹き出された冷気は内板１０に支えられる上段ポケット２０１や下段ポケット２０２の底面に設けられたスリット４を上から下へ通過する。また上段ポケット２０１の奥側で扉の内板１０に設けられた内板風路５を通過し上段ポケット２０１から下段ポケット２０２へ送られる。
よって扉開閉によるポケット周りの温度上昇が抑制される。
【００２２】
図６に示すように、上段、下段ポケット２０１、２０２に食品６、７が収納されている。
食品が収納されても内板１０に設けられた風路５を上段ポケット２０１から下段ポケット２０２に冷気を送る構成としている。
このように構成することにより、扉開閉によるポケット周りの温度上昇が抑制される。
【００２３】
【発明の効果】
この発明に係る小物収納容器は、小物チューブ類を収納できる上部が開口した円筒体をひょうたん状に連結した小物収納部と、収納容器の前面壁に係止される取付部と、を備えたので、扉の収納容器のボトル、パック、ビン等の収納量を減少させることなく、チューブ等の小物食品を収納することができる。
【００２４】
また、円筒体の内径は、小物チューブ類を収納した場合、小物チューブ類のキャップ部が固定できる寸法としたので、チューブ類を安定した状態で収納することができる。
【００２５】
また、小物収納容器は扉の収納容器に中型の食品を収納した場合に形成されるデッドスペースに収納されるので、扉の収納容器の収納量を減少させることなく、チューブ等の小物食品を収納することができる。
【００２６】
また、少なくとも２つ以上が連結した円筒体の底面には隣接する二つの円筒体底面を連続して開口するスリットを設けたので、チューブ類のキャップ部を上にして収納できる。
【００２７】
また、隣接する二つの円筒体底面を連続して開口するスリットを設け、小物チューブ類のキャップ部を上にして収納した場合、小物チューブ類を収納容器の底まで収納できる構成としたものである。
【００２８】
また、冷蔵庫の扉内側に支持されて庫内に突出するように設けられ、上方が開口し、前面壁および底面に食品を取り出しやすいように勾配を付けた収納容器の前面壁に係止されるものにおいて、収納容器の前面壁に係止される小物収納容器の後壁の形状を略垂直としたので、牛乳パック等を略垂直に収納でき、傾けて収納することによる中身の溢れを防止できる。
【図面の簡単な説明】
【図１】  実施の形態１を示す図で、小物収納容器の斜視図である。
【図２】  実施の形態１を示す図で、小物収納容器を使用したドアポケットの斜視図である。
【図３】  実施の形態３を示す図で、図２のＡ−Ａ断面図である。
【図４】  実施の形態２を示す図で、図２のＡ−Ａ断面図である。
【図５】  実施の形態４を示す図で、冷蔵庫の冷蔵室扉内側を示す斜視図である。
【図６】  実施の形態４を示す図で、冷蔵庫の冷蔵室扉内側を示す部分拡大断面図である。
【図７】  従来の小物収納容器を使用したドアポケットの斜視図である。
【符号の説明】
１  小物収納容器、１ａ  円筒体、１ｂ  取り付け部、１ｃ  スリット、１ｄ後壁、２  ドアポケット、２ａ  前面壁、２ｂ  底面、２０１  上段ポケット、２０２  下段ポケット、４  スリット、５  内板風路、６，７  食品、１０  内板。
【図１】
0003967044.tif 000002
【図２】
0003967044.tif 000003
【図３】
0003967044.tif 000004
【図４】
0003967044.tif 000005
【図５】
0003967044.tif 000006
【図６】
0003967044.tif 000007
【図７】
0003967044.tif 000008